(57)【要約】【課題】  多様な被固定部材に対しても施工性を維持したままで、安全、且つ安価なガスメータ支持装置を提供することを目的とする。【解決手段】  上流側端部に入側ガス管が接続され、下流側端部にガスメータの導入口が接続されるガス導入管１０と、上流側端部に上記ガスメータの導出口が接続され、下流側端部に出側ガス管が接続されるガス導出管２０と、前記ガス導入管の下流側端部と前記ガス導出管の上流側端部とを互いに所定距離だけ離れた状態で回動自在に支持する支持プレート３０とを備えたガスメータ支持装置１において、  前記ガス導入管１０の上流側端部１１と前記ガス導出管２０の下流側端部２２とを固定する固定手段４０を備えており、当該固定手段４０の少なくとも一方は被固定部材に対し、前後方向に位置調節可能に設けられていることでなる。【選択図】図１
2007263661.tif 000002
【特許請求の範囲】
【請求項１】
上流側端部に入側ガス管が接続され、下流側端部にガスメータの導入口が接続されるガス導入管と、上流側端部に上記ガスメータの導出口が接続され、下流側端部に出側ガス管が接続されるガス導出管と、前記ガス導入管の下流側端部と前記ガス導出管の上流側端部とを互いに所定距離だけ離れた状態で回動自在に支持する支持プレートとを備えたガスメータ支持装置において、
前記ガス導入管の上流側端部と前記ガス導出管の下流側端部とを固定する固定手段を備えており、当該固定手段の少なくとも一方は被固定部材に対し、前後方向に位置調節可能に設けられていることを特徴とするガスメータ支持装置。
【請求項２】
上流側端部に入側ガス管が接続され、下流側端部にガスメータの導入口が接続されるガス導入管と、上流側端部に上記ガスメータの導出口が接続され、下流側端部に出側ガス管が接続されるガス導出管と、前記ガス導入管の下流側端部と前記ガス導出管の上流側端部とを互いに所定距離だけ離れた状態で回動自在に支持する支持プレートとを備えたガスメータの支持装置において、
前記支持プレートは、Ｕ字状溝部をもって前記ガス導入管の下流側端部と前記ガス導出管の上流側端部とを互いに所定距離だけ離れた状態で回動自在に支持すると共に、
前記支持プレートのＵ字状溝部の開口部を塞ぎ、前記ガス導入管の前記ガスメータ接続口と、前記ガス導出管の前記ガスメータ接続口とをそれぞれ取り囲むように設けたバンドと、
前記支持プレートと、前記バンドとを接続する取付けボルトとを有し、
前記取付けボルトを緩めた状態では、前記ガス導入管のガスメータ接続口と、前記ガス導出管のガスメータ接続口とを支点として、前記ガス導入管とガス導出管とをそれぞれ回動自在とし、
前記取付けボルトを締め付けた状態では、前記ガス導入管とガス導出管とをそれぞれ回動不能に固定するようになした
ことを特徴とするガスメータ支持装置。
【請求項３】
前記ガス導入管の上流側端部と前記ガス導出管の下流側端部とを固定する固定手段を備えており、当該固定手段の少なくとも一方は被固定部材に対し、前後方向に位置調節可能に設けられていることを特徴とする請求項２に記載のガスメータ支持装置。
【請求項４】
前記ガス導入管の上流側端部と前記ガス導出管の下流側端部とを固定する固定手段を備えており、当該固定手段は、ガイドプレートと、該ガイドプレートの両端に設けた固定部とからなり、前記ガス導入管の上流側端部と前記ガス導出管の下流側端部とを所定の幅に固定することを特徴とする請求項２に記載のガスメータ支持装置。
【請求項５】
請求項１又は３のいずれかに記載のガスメータ支持装置において、前記固定手段の少なくとも一方は、被固定部材取付け金具と、管部固定金具と、該被固定部材取付け金具と該管部固定金具とを連結する連結具とからなり、
該被固定部材取付け金具と該管部固定金具との少なくとも一方に長穴部を設け、位置調整可能とした固定手段である
ことを特徴とするガスメータ支持装置。
【請求項６】
請求項１乃至５のいずれかに記載のガスメータ支持装置において、一端を被固定部材に取付け、他端を前記支持プレートと前後方向に位置調整可能となす位置調整部を有する取付けプレートを設けたことを特徴とするガスメータ支持装置。
【請求項７】
前記ガス流入口と、前記ガス流出口との少なくともいずれか一方にガスの流れ方向に対して垂直方向に回動自在とする回動自在継手部を設けた
ことを特徴とする請求項１乃至６のいずれかに記載のガスメータ支持装置。
【請求項８】
前記ガス導出管は、略Ｕ字状形状をなし、前記ガス流出口と、前記ガスメータ接続口と間にガスメータの正面方向へ検査口を設けたことを特徴とする請求項１乃至７のいずれかに記載のガスメータ支持装置。
【請求項９】
前記ガス導入管が略Ｕ字状形状をなし、前記ガス流入口と前記ガスメータ接続口との間にガス栓を設け、当該ガス栓の操作部がガスメータの正面方向としたことを特徴とする請求項１乃至８のいずれかに記載のガスメータ支持装置。
【請求項１０】
前記ガス導出管の前記下流側端部を二口設けたことを特徴とする請求項１乃至９のいずれかに記載のガスメータ支持装置。
【発明の詳細な説明】
【技術分野】
【０００１】
本発明は、ガスの使用量を計測するガスメータを支持するための支持装置に関する。
【背景技術】
【０００２】
一般に、戸建住宅では、屋外の地中から立設させた鋼管製のガス配管に、集合住宅では、屋内のパイプシャフトに配設されるフレキシブルガス配管に、ガスメータが取付けられる。特に近年、ガスメータ支持装置に関わる次のような背景が顕著である。
１）ガスメータは、災害発生時にガス供給を自動遮断する機能が付加されている。例えば、地震発生時にガス供給を自動遮断するマイコンメータが多用されている。
２）ガス配管は、集合住宅等では、ほぼ全戸フレキシブルガス配管が使用され、戸建配管においても、下流側配管にフレキシブルガス配管を使用する場合が見られるようになってきた。
従って、従来、ガスメータの支持荷重の過半を鋼管製のガス配管が負担していたものが、フレキシブルガス配管の多用によって、ガスメータ支持装置のみで支持する必要がある。特に、前記マイコンメータでは、地震以外の振動でも遮断機能が動作する場合があり、このような振動で誤動作をさせないようにガスメータを支持する必要がある。
【０００３】
この種の支持装置には、主に施工性などが改良された次のようなものが公知である。
即ち、特許文献１には、地面に支柱を立設し、この上端部に水平に固定した支持板の左右両側部には、逆Ｕ字状をなす流入管および流出管を配置し、流入管の流出側端部および流出管の流入側端部を、支持板に回動可能に設けた支持装置が開示されている。
また、特許文献２には、装置本体を固定板部と可動板とから構成し、固定板部は、壁部に固定すると共に、可動板は、固定板の水平板部上に前後方向へ移動可能に載置し、且つガス流入出の接続管を設ける支持装置が開示されている。
また、特許文献３には、支持板の左右の端部に流入管および流出管をそれぞれ配置し、ボルトによって固定し、支持板の前面には、第１ガイド溝をそれぞれ形成すると共に、第１ガイド溝には、流入管の流出側端部を上方へ移動自在に挿入し、また、流入管の流入側端部には、自在継手を回転自在に、かつ位置固定して設ける支持装置が開示されている。
特許文献１から３に開示のいずれの支持装置においても限られた空間での施工を可能とし、また、ガス流入流出立上管の間隔及び壁面からの位置関係にかかわらず、ガスメータを据え付けられるという利点を有している。
【０００４】
更に、特許文献４には、金属板からなる固定部材を側壁に固定し、この固定部材の水平な載置板部に金属板からなる保持部材を載置固定し、又、一次側接続管を主管と副管とから構成し、二次側接続管を主管と副管とから構成すると共に、保持部材の前面側の左右両端部には、主管の下流側端部と主管の上流側端部とをそれぞれ固定板により側壁に固定するガスメータの支持装置が開示されている。
特許文献４によれば、支持強度を向上させることができると共に、保持部材を薄い金属板によって構成したとしてもその変形を防止することができる、という効果を発揮し得る。
【０００５】
【特許文献１】特開平１１−８３５８９号公報
【特許文献２】特開平１１−１６０１２５号公報
【特許文献３】特開２０００−４６６２１号公報
【特許文献４】特開２００５−１１４５２４号公報
【発明の開示】
【発明が解決しようとする課題】
【０００６】
しかしながら、特許文献１から３に開示の技術によると、ガス流入出管部の回動自在構造は、支持装置に円弧状のガイド溝を設け、且つガス流路部材からガイドを延長させて設けているので、形状が複雑な可鍛鋳鉄製のガス流路部材を鋳造することに難があり、支持板との固定面を切削加工する必要があるために、製造コストが高くなるという課題がある。また、ガス流路部材と支持板とが必要以上に調整可能であるために、却って調整しづらいという課題がある。また、地震発生時にガス供給を自動遮断する機能を有するガスメータの支持において、必要以上に調整可能であると、地震以外の振動において、ガスメータの自動遮断機能が動作してしまう、といった課題があった。
また、近年ガス管は、鋼管からフレキシブル管へと変わってきており、フレキシブル性のある管を施工後は確実に固定しておく必要がある。特に集合住宅等のパイプシャフト廻りは設置スペースに余裕が無いので所定幅に固定しておく方が望ましい。他方、上記従来の支持装置は、一端側が回動自在に支持されているのみで、ガス流入口側及びガス流出口側は、支持装置本体に固定されていなかった。ガス管が鋼管製である場合には、ガス管の剛性によって固定されるが、可とう性のあるフレキシブル管の場合には、十分に固定されず、いたずらに支持装置のガス流入口又はガス流出口を動かすとガス漏れに至ってしまう可能性があるという問題があった。
【０００７】
この点で特許文献４に開示の技術によると、ガス流入口側及びガス流出口側を専用の固定板により側壁に固定することが出来る。しかしながら、ガスメータ支持装置を取付ける壁面が平面でなくてはならず、例えば凹凸のある壁面等には取付けができないという課題があった。また、そもそも固定板を取付ける壁面が無い状況もあり得るし、例えばチャンネル鋼に取付けることが出来ない状況もあり得るので、このような場合には対応できないという課題があった。
本発明は、以上の問題点を解決するためになされたもので、多様な被固定部材に対しても施工性を維持したままで、安全、且つ安価なガスメータ支持装置を提供することを目的とする。
【課題を解決するための手段】
【０００８】
上記の目的を達成するために、請求項１に記載の発明は、上流側端部に入側ガス管が接続され、下流側端部にガスメータの導入口が接続されるガス導入管と、上流側端部に上記ガスメータの導出口が接続され、下流側端部に出側ガス管が接続されるガス導出管と、前記ガス導入管の下流側端部と前記ガス導出管の上流側端部とを互いに所定距離だけ離れた状態で回動自在に支持する支持プレートとを備えたガスメータ支持装置において、
前記ガス導入管の上流側端部と前記ガス導出管の下流側端部とを固定する固定手段を備えており、当該固定手段の少なくとも一方は被固定部材に対し、前後方向に位置調節可能に設けられているガスメータ支持装置である。
【０００９】
従って、請求項１に記載の発明によれば、前記ガス導入管の上流側端部と前記ガス導出管の下流側端部とを固定する固定手段を備えており、当該固定手段の少なくとも一方は被固定部材に対し、前後方向に位置調節可能に設けられているので、被固定部材に凹凸があるような場合においても、ガスメータを容易に、且つ確実に支持するガスメータ支持装置とすることができる。
【００１０】
また、請求項２に記載の発明は、上流側端部に入側ガス管が接続され、下流側端部にガスメータの導入口が接続されるガス導入管と、上流側端部に上記ガスメータの導出口が接続され、下流側端部に出側ガス管が接続されるガス導出管と、前記ガス導入管の下流側端部と前記ガス導出管の上流側端部とを互いに所定距離だけ離れた状態で回動自在に支持する支持プレートとを備えたガスメータ支持装置において、前記支持プレートは、Ｕ字状溝部をもって前記ガス導入管の下流側端部と前記ガス導出管の上流側端部とを互いに所定距離だけ離れた状態で回動自在に支持すると共に、前記支持プレートのＵ字状溝部の開口部を塞ぎ、前記ガス導入管の前記ガスメータ接続口と、前記ガス導出管の前記ガスメータ接続口とをそれぞれ取り囲むように設けたバンドと、前記支持プレートと、前記バンドとを接続する取付けボルトとを有し、前記取付けボルトを緩めた状態では、前記ガス導入管のガスメータ接続口と、前記ガス導出管のガスメータ接続口とを支点として、前記ガス導入管とガス導出管とをそれぞれ回動自在とし、前記取付けボルトを締め付けた状態では、前記ガス導入管とガス導出管とをそれぞれ回動不能に固定するようになしたガスメータ支持装置である。
【００１１】
従って、請求項２に記載の発明によれば、前記Ｕ字状溝部と、前記バンドと前記取付けボルトとで前記ガス導入管部と前記ガス導出管部とをそれぞれ支持しているので、調整方向は、最低限の回動方向だけとなり、施工性を維持し、また、取付けボルトを締め付けるだけで回動不能に固定できるので、安全、且つ安価なガスメータ支持装置とすることが可能になる。
【００１２】
また、請求項３に記載の発明は、請求項２に記載の構成に加え、前記ガス導入管の上流側端部と前記ガス導出管の下流側端部とを固定する固定手段を備えており、当該固定手段の少なくとも一方は被固定部材に対し、前後方向に位置調節可能に設けられたガスメータ支持装置である。
従って、請求項３に記載の発明によれば、前記ガス導入管部と前記ガス導出管部とをそれぞれの任意の位置で回動不能に固定すると共に、当該固定手段の少なくとも一方は被固定部材に対し、前後方向に位置調節可能に設けられているので、ガス導入管とガス導出管の調整は回動方向だけにしながらも固定に対しては前後方向の位置調整機能が加わっているので、被固定部材に凹凸があるような場合においても、ガスメータを容易に、且つ確実に支持するガスメータ支持装置とすることができる。
【００１３】
また、請求項４に記載の発明は、請求項２に記載の構成に加え、前記ガス導入管の上流側端部と前記ガス導出管の下流側端部とを固定する固定手段を備えており、当該固定手段は、ガイドプレートと、該ガイドプレートの両端に設けた固定部とからなり、前記ガス導入管の上流側端部と前記ガス導出管の下流側端部とを所定の幅に固定するガスメータ支持装置である。
従って、請求項４に記載の発明によれば、前記ガス導入管の上流側端部とガス導出管の下流側端部とを上記固定手段を用いて固定する壁面が無い場合であっても両管はガイドプレートにより所定の幅に固定されているので、ガス導入管とガス導出管とを予め回転不能に固定することができ、狭小なスペースでも取付けが簡単で安全なガスメータ支持装置とすることができる。
【００１４】
また、請求項１から３に記載の発明において、前記固定手段の少なくとも一方は、被固定部材取付け金具と、管部固定金具と、該被固定部材取付け金具と該管部固定金具とを連結する連結具とからなり、該被固定部材取付け金具と該管部固定金具との少なくとも一方に長穴部を設け、位置調整可能とした固定手段とすることができる。
また、一端を被固定部材に取付け、他端を前記支持プレートと前後方向に位置調整可能となす位置調整部を有する取付けプレートを設けることが好ましい。
【００１５】
これらの構成により、ガスメータは、前記固定手段と、前記取付けプレートとによって、それぞれ位置調整可能に被固定部材に固定されるので、被固定部材の形状に係らず、強固に固定することが可能である。特に、前記固定手段の二ヶ所と、取付けプレートとの合計三ヵ所で固定されるので、地震以外の振動において、ガスメータの自動遮断機能を誤動作させる心配がない。
【００１６】
更に、前記ガス流入口と、前記ガス流出口との少なくともいずれか一方にガスの流れ方向に対して垂直方向に回動自在とする回動自在継手部を設けることが好ましく、また、前記ガス導出管が略Ｕ字状形状をなし、前記ガス流出口と、前記ガスメータ接続口と間にガスメータの正面方向へ検査口を設けることが好ましく、また、前記ガス導入管が略Ｕ字状形状をなし、前記ガス流入口と前記ガスメータ接続口との間にガス栓を設け、当該ガス栓の操作部がガスメータの正面方向とすることが好ましい。また、前記ガス導出管の前記下流側端部を二口設けることが好ましい。
【００１７】
これらの構成によって、施工時においても施工しやすく、また、使用時においても使用しやすいガスメータ支持装置とすることができる。特にパイプシャフトのように限られた空間にガスメータを設置する場合、ガスメータの直上に給湯器などのガス機器が設けられる場合があり、検査口及びガス栓を正面方向に設けることによって、パイプシャフト内の空間を有効に利用できる。また、ガス流出口である下流側端部を二口としたことで、直上に設けられた給湯器などのガス機器へ最短距離で配管することができる。
【発明の効果】
【００１８】
本発明によれば、前記ガス導入管の上流側端部と前記ガス導出管の下流側端部とを固定する固定手段を備えており、当該固定手段の少なくとも一方は被固定部材に対し、前後方向に位置調節可能に設けられているので、被固定部材にたとえ凹凸があるような場合においても、ガスメータを容易に、且つ確実に支持するガスメータ支持装置とすることができる。
また、本発明によれば、Ｕ字状溝部とバンド及び取付けボルトとだけでガス導入管部とガス導出管部とをそれぞれ支持しているので、必要最小限の部材と最低限必要な回動調節だけとなり、構造が簡易で安価にできかつ施工性を維持して安全なガスメータ支持装置とすることができる。
【発明を実施するための最良の形態】
【００１９】
以下、本発明を実施するための最良の形態について図面を参照して説明する。図１は、ガスメータ１００を取付けた本発明の実施の第一の形態に係るガスメータ支持装置の斜視図である。図２は、図１に示したガスメータ支持装置の平面図、図３は、図１に示したガスメータ支持装置の正面図である。
【００２０】
図１に示したガスメータ支持装置１は、上流側端部１１に入側ガス管（図示せず）が下方から接続され、下流側端部１２をユニオン接続部１２１に形成してガスメータ１００の導入口が接続される略Ｕ字形状のガス導入管１０と、上流側端部２１をユニオン接続部２１１に形成してガスメータ１００の導出口が接続され、下流側端部２２にガス管接続用継手１０３を介して出側ガス管１０２が下方に接続される略Ｕ字形状のガス導出管２０とによってガスの流路が形成されている。また、ガス導入管１０の下流側端部１２とガス導出管２０の上流側端部２１とは、互いに所定の距離（即ち、ガスメータの導入口と導出口との間隔：例えば１３０ｍｍ）だけ離れた状態で支持プレート３０に回動自在に支持されている。
【００２１】
また、図２に示すように、ガス導入管１０の上流側端部１１とガス導出管２０の下流側端部２２とは、ガス導入管１０の下流側端部１２とガス導出管２０の上流側端部２１と比べて互いの距離が離れる方向にハの字状に拡がり、ガス導入管１０の上流側端部１１とガス導出管２０の下流側端部２２とのそれぞれに建物の壁面に対して位置調整可能に設けた固定手段４０が設けられている。
【００２２】
図３に示すように、ガス導入管１０は、上流側端部１１の更に上流側に回動自在継手７０が接続されている。この種の回動自在継手７０は、例えば、継手本体７１とナット部材７２とが抜け止めされた状態で、回動自在に、且つ気密に設けられたものであり、継手本体のテーパねじ部を上流側端部１１に螺合接続されている。即ち、地中から立設した入側ガス管に対して、ガス導入管１０を回転させなくとも接続することができるので、施工が容易であるだけでなく、壁面との距離を近づけることができるので、ガスメータの取付けが省スペースとなる。
【００２３】
なお、入側ガス管がフレキシブルガス管を用いる場合には、回動自在継手７０に代えて、ガス管接続用継手１０３（図１参照）が用いられる。ガス管接続用継手１０３は、例えば、フレキシブルガス管を挿入し、フレキシブルガス管の挿入口に設けられたナットを押し込むだけで接続施工が可能な継手が用いられ、ガス管を捩ることなく容易に施工できる。
【００２４】
また、下流側端部１２の上方には、ガス栓６０が、その操作部６１を略正面となるように設けられている。即ち、ガスメータ１００の正面とガス栓６０の正面とが一致しているため、開閉状態の確認や、操作が容易である。
また、ガス導入管１０の上流側端部１１近傍で、ガス栓６０と相対する側に角状部１３が設けられている。角状部１３は、ガス栓６０の内面を加工するときに位置決めをする役割を担っており、特に精度の必要なガス栓内部のテーパ面（図示しない）を加工する際に有効とされる。
【００２５】
一方、ガス導出管２０は、上流側端部２１の上部に検査口２３が略正面となるように設けられている。検査口２３には、検圧プラグ２４が螺合接続されており、施工後や、ガスメータの定期交換後などにガス漏れ検査器具を接続できるようになっている。なお、通常時には、ゴミが入ったり、誤って緩めたりすることのないように、円筒状の樹脂製キャップ２５で保護している。
従って、ガス栓６０、検査口２３がいずれも正面方向にあるため、ガスメータ支持装置１の上部空間を有効に利用することができる。
【００２６】
また、ガス導出管２０の下流側端部２２は、例えば、上下方向に二口設けられている（図６参照）。ガスメータ支持装置の直上には、給湯器などのガス機器を設ける場合があり、上方向に向けられた下流側端部２２は、最短距離でガス機器と接続することが可能である。
また、ガス導入管１０の上流側端部１１、ガス導出管２０の下流側端部２２、及び検査口２３の外周には、工具の係り面（図示せず）が設けられている。
また、これらガス導入管１０およびガス導出管２０は、複雑形状であるが故、主に可鍛鋳鉄製で、鋳造にて成形され、外面には、防食塗装が施されている。
【００２７】
支持プレート３０は、（図４参照）厚さ２ｍｍ程度の鋼板をプレス等で成形される。支持プレート３０の中央部には、二スジの長穴３１（位置調整部）が形成されており、取付けプレート５０と、位置調整可能に接続されている。また、該長穴３１の外側にはハの字状の目印３２を凸又は凹に設けている。この目印３２を凸又は凹に設けることによって、支持プレート３０の剛性を高めると同時に、目印３２のハの字角度に前述のガス導入管１０とガス導出管２０のハの字角度を合わせることによって、ガス導入管１０の上流側端部１１とガス導出管２０の下流側端部２２との間隔が、ガス管（図示せず）の施工基準幅（例えば、１７５ｍｍ）となるようにしている。
【００２８】
また、支持プレート３０の正面端面はＬ字に折り曲げられると共に、ガス導入管１０の下流側端部１２とガス導出管２０の上流側端部２１とが、それぞれ嵌挿されるＵ字状溝３３が形成されている。また、Ｕ字状溝３３の両外側には係止穴３４が、両内側にはねじ部３５が形成されている。
バンド３７は、前記Ｕ字状溝３３の開口部３６を塞ぐように設けられ、一端を前記係止穴３４に係止し、他端を前記ねじ部３５を利用して、取付けボルト３８で締め付けられるように構成している。ガス導入管１０の下流側端部１２とガス導出管２０の上流側端部２１においてＵ字状溝３３に嵌挿する部分は、機械加工を施し簡易に芯合わせが出来るようにしておくことが望ましい。
【００２９】
このような構成としているので、取付けボルトを緩めた状態では、ガス導入管１０の下流側端部１２とガス導出管２０の上流側端部２１とが、Ｕ字状溝３３を支点としてそれぞれ回動自在となり、ガス導入管１０の上流側端部１１とガス導出管２０の下流側端部２２との間隔を自由に調整することができる。従って、地中から立設させたガス管の間隔が施工基準寸法と若干異なる場合でも確実に施工することができる。
また、前記Ｕ字状溝３３の円弧長さと前記バンド３７の円弧長さを加えた長さは、ガス導入管１０の下流側端部１２又はガス導出管２０の上流側端部２１の円周長さよりも若干短く設定しているので、ガス導入管１０とガス導出管２０とをそれぞれガス管、ガスメータと接続施工終了後は、取付けボルト３８を締め付けることで確実に固定することができる非常に安価な構造としている。
【００３０】
また、取付けプレート５０は、略Ｌ字型をした厚さ２ｍｍ程度の鋼板からなっている。Ｌ字の一面には、支持プレート４０に設けた長穴３１を利用して、支持プレート４０を前後方向に調整可能とするねじ穴５１が都合４ヶ所形成されている（位置調整部、図２参照）。この場合、前後方向の調整及び固定には、２ヶ所のねじ穴を用いる。例えば、図２において、比較的壁面とガスメータ支持装置とが離れている場合には、図２の向かって下側のねじ穴を用い、比較的近い場合には、向かって上側のねじ穴を用いる。これによって、限られた長穴の長さの調整代を約２倍に増加させることが可能となる。
【００３１】
固定手段４０は、Ｌ型の被固定部材取付け金具４１と、Ｕ型の管部固定金具４２と、取付けボルト４３とからなっている。被固定部材取付け金具４１には、位置調整可能なように長穴４４が設けられ、管部固定金具４２は、一端が、被固定部材取付け金具４１に外装係止され、他端に、ねじ部４５が形成されている。
従って、被固定部材取付け金具４１の長穴４４を利用して、被固定部材である壁面との距離を調整した上でガスメータ支持装置１を固定することが可能である。但し、調整手段は長穴である必要は無く例えば段階的に設けられたねじ穴等でも良く、以下同様である。
【００３２】
図５は、本発明の実施の第ニの形態に係る固定手段の斜視図である。この固定手段４０は、長穴４４を有した被固定部材取付け金具４１と、ガス導入管１０の上流側端部１１及び／又はガス導出管２０の下流側端部２２を固定ボルトＡ４５１で固定する管部固定金具４２と、被固定部材取付け金具４１の長穴４４と管部固定金具４２の締結部４２２とを利用して、被固定部材との距離を位置調整して締結固定する固定ボルトＢ４５２とからなっている。
【００３３】
従って、まず、管部固定金具４２の固定ボルトＡ４５１でガス導入管１０の上流側端部１１及び／又はガス導出管２０下流側端部２２とを固定した後、被固定部材取付け金具４１の長穴４４を利用して、被固定部材である壁面との距離を調整した上で固定ボルトＢ４５２を締め付けることによって、ガスメータ支持装置１を固定することが可能である。本発明の実施の第一の形態と比較して、部材の数は増加するが、ガス導入管１０の上流側端部１１及び／又はガス導出管２０の下流側端部２２を固定手段４０と固定する機能の固定ボルトＡ４５１と、壁面との位置を調整して固定する機能の固定ボルトＢ４５２と、役割を分けているために、却って調整施工を行いやすい。
【００３４】
図６は、本発明の実施の第三の形態に係るガスメータ支持装置の斜視図である。また、図７は、本発明の実施の第三の形態に係る固定手段の斜視図である。図６において、ガス導入管１０、ガス導出管２０、及び支持プレート３０の構成においては、図１から図３に示した実施の第一の形態と同一である。
【００３５】
図６において、固定手段４０は、ガイドプレート４６と、ガイドプレート両端に設けた固定部４７とからなっている。
例えば、屋内配管におけるガスメータ支持装置には、入側ガス管及び出側ガス管に可とう性のあるフレキシブル管を使用することが多い。同時にパイプシャフト廻りは設置スペースが狭く規定寸法内に収容できることが求められる。従って、ガス導入管１０及びガス導出管２０を調整可能とするよりも、ガイドプレート４６と、ガイドプレート両端に設けた固定部４７とによって所定の幅に固定し、フレキシブル管の可とう性を利用した方が施工が容易であるし、要求に合致している。また、ガイドプレート４６には、被固定部材取付け部４８を設けてあるので、被固定部材である壁面と強固に固定することができる。
【００３６】
また、取付けプレート５０と固定手段４０を一体的に構成することも出来る。即ち、取付けプレートの一方端部（壁側）からガイドプレート４６部分をプレス加工等で一体的に成形し、これに固定部４７をねじ等で取付けたものである。あるいはガイドプレート４６をねじ等で固着して一体的に成形することもできる。このタイプの固定手段によれば導入管１０の上流側端部１１及び／又はガス導出管２０の下流側端部２２は直接的には壁面に固定されないので固定効果は低減するが、導入管１０とガス導出管２０をガイドプレート４６と固定部４７により工場等で予め位置決めし、現場では取付けプレート５０だけを固定すれば良いので施工が簡単である。尚、この例においてガイドプレート４６に被固定部材取付け部４８を設け、この部分も壁面に固定しても良いことは無論である。
【００３７】
なお、この発明は、上記の実施の形態に限定されるものでなく、適宜設計変更可能である。例えば、上記の実施の形態においては、ガス導入管１０とガス導出管２０とを八の字状に必ずしも位置させる必要はなく、直線的であったり、平行な位置関係としたりすることができる。また、例えば、取付けプレート５０の上面に、支持プレート３０の長穴３１を位置させて位置調整可能としたが、上下関係を逆としたり、取付けプレート側へ長穴を設けたりすることができる。尚、取付けプレート５０を設けることによって固定個所が増えるのでより安全で望ましいが、本発明において取付けプレート５０を備えることは必須ではない。更には、例えば、固定手段４０の位置調整に関し、アリ溝形状としたり、オスメスねじの螺合としたりすることも可能である。また、第三の実施形態で用いた固定手段の別の実施例としては、ガイドプレート両端に設けた固定部４７を左右別体として調節長穴等をガイドプレート４６に設け固定部４７を左右方向に調整可能となして所定の幅を可変できるようにすることも出来る。
【図面の簡単な説明】
【００３８】
【図１】本発明の実施の第一の形態に係るガスメータ支持装置の斜視図である。
【図２】本発明の実施の第一の形態に係るガスメータ支持装置の平面図である。
【図３】本発明の実施の第一の形態に係るガスメータ支持装置の正面図である。
【図４】本発明の実施の第一の形態に係る支持プレートの平面図である。
【図５】本発明の実施の第ニの形態に係る固定手段の斜視図である。
【図６】本発明の実施の第三の形態に係るガスメータ支持装置の斜視図である。
【図７】本発明の実施の第三の形態に係る固定手段の斜視図である。
【符号の説明】
【００３９】
１：ガスメータ支持装置、
１０：ガス導入管、１１：上流側端部、１２：下流側端部、１３：角状部、１２１：ユニオン接続部、
２０：ガス導出管、２１：上流側端部、２２：下流側端部、２３：検査口、２４：検圧プラグ、２５：樹脂製キャップ、２１１：ユニオン接続部、
３０：支持プレート、３１：長穴、３２：目印、３３：Ｕ字状溝、３４：係止穴、３５：ねじ部、３６：開口部、３７：バンド、３８：取付けボルト、
４０：固定手段、４１：被固定部材取付け金具、４２：管部固定金具、４３：取付けボルト、４４：長穴、４５：ねじ部、４６：ガイドプレート、４７：固定部、４８：被固定部材取付け部、４２２：締結部、４５１：固定ボルトＡ、４５２：固定ボルトＢ
５０：取付けプレート、５１：ねじ穴、
６０：ガス栓、６１：操作部、
７０：回動自在継手、７１：継手本体、７２：ナット部材
１００：ガスメータ、１０２：出側ガス管、１０３：ガス管接続用継手
【図１】
2007263661.tif 000003
【図２】
2007263661.tif 000004
【図３】
2007263661.tif 000005
【図４】
2007263661.tif 000006
【図５】
2007263661.tif 000007
【図６】
2007263661.tif 000008
【図７】
2007263661.tif 000009